(57)【要約】【課題】携帯電話のメッセージの確認によって銀行振替を実現するシステムと方法【解決手段】本発明のシステムは、銀行のサーバー、確認モジュール、銀行振替ビジネス処理モジュール、振替操作ターミナル、受発信モジュールを備える。本方法は、銀行振替の前に、受発信モジュールは振替要求を携帯電話のメッセージモードによってアカウントホールダーを知らせる。そして、アカウントホールダーの確認メッセージを確認モジュールに転送する。確認モジュールは予約証明書によってアカウントホールダーの身元を識別し、アカウントホールダーの資金の移動命令を受け、銀行振替ビジネス処理モジュールによって振替操作を行う。本発明は、アカウントホールダーのその銀行口座の資金の変更の状態に対するリアルタイム制御が実現される。【選択図】図１
2008511062.tif 000002
【特許請求の範囲】
【請求項１】
銀行のサーバーと、確認モジュールと、銀行振替ビジネス処理モジュールと、振替操作ターミナルと、メッセージの受発信モジュールとを備える携帯電話のメッセージの確認モードを通して銀行振替を完成するシステムであって、
前記銀行サーバーには銀行口座が記憶されておるが、該口座はアカウントホールダーによって開設された資金口座であって、該口座にはアカウントホールダーの携帯電話が結ばれており、専用ネットワークを介して、前記銀行サーバーと前記確認モジュール及び前記銀行振替ビジネス処理モジュールを連結しており、
前記確認モジュールには、アカウントホールダーの予約証明書が記憶されて、前記銀行サーバーによって中継して発信したアカウントホールダーの携帯電話からの確認情報を受け取って分析し、また前記情報と予約証明書を比較・区別して、アカウントホールダーの身元を確認し、またアカウントホールダーの指示に従って、前記銀行振替ビジネス処理モジュールに振替処理命令を伝達しており、前記予約証明書はアカウントホールダーと銀行の間によって予約されたアカウントホールダーの身元に関連する個性化な情報であり、
前記銀行振替ビジネス処理モジュールは、前記確認モジュールから発信してきた振替操作命令を受け取って処理し、そして振替操作の結果を前記銀行サーバーを介して前記ターミナルに反映しており、
前記振替操作ターミナルは、公衆インターネット又は専用ネットワークを通して前記銀行サーバーに連結され、前記銀行サーバーからの振替の処理結果を受け取り、また前記メッセージの受発信モジュールと連結して、該メッセージの受発信モジュールに振替要求メッセージを送っており、
前記メッセージのは、メッセージを発送及び収受するのに使用される設備であって、公衆又は専用ネットワークを通って前記銀行サーバーと連結し、また、振替操作ターミナルからの振替要求メッセージを受け取って分析し、そしてエンコードして前記銀行口座に結ばれたアカウントホールダーの携帯電話に発信して、アカウントホールダーの携帯電話からの確認のメッセージを自動的に検査してから前記銀行サーバーに転送することを特徴とする、携帯電話のメッセージの確認モードを通して銀行振替を完成するシステム。
【請求項２】
前記振替操作ターミナルは前記銀行サーバーからの振替の処理結果の情報を前記メッセージの受発信モジュールに転送し、そしてエンコードして前記銀行口座に結ばれたアカウントホールダーの携帯電話に発信することを特徴とする、請求項１に記載の携帯電話のメッセージの確認モードを通して銀行振替を完成するシステム。
【請求項３】
前記銀行口座は個人のクレジットカードの口座、個人の普通預金の口座、企業の口座、又は同業の預金の口座、国庫の口座であることを特徴とする、請求項１又は２に記載の携帯電話のメッセージの確認モードを通して銀行振替を完成するシステム。
【請求項４】
前記携帯電話のメッセージは文字メッセージ、音声メッセージ、画像メッセージから選ばれた一種又は一種以上の組合せであることを特徴とする、請求項１又は２に記載の携帯電話のメッセージの確認モードを通して銀行振替を完成するシステム。
【請求項５】
前記振替操作ターミナルは消費場所のカード使用の振替操作ターミナル、銀行ビジネスカウンターのカード使用の振替操作ターミナル、又は銀行ビジネスカウンターの手動振替操作ターミナルであることを特徴とする、請求項１又は２に記載の携帯電話のメッセージの確認モードを通して銀行振替を完成するシステム。
【請求項６】
前記振替操作ターミナルと前記メッセージの受発信モジュールは専用ネットワークによって連結されることを特徴とする、請求項１又は２に記載の携帯電話のメッセージの確認モードを通して銀行振替を完成するシステム。
【請求項７】
前記振替操作ターミナルと前記メッセージの受発信モジュールは一つの装置に組み合わせ、両者は内部インターフェイスを通して互いに連結されることを特徴とする、請求項１又は２に記載の携帯電話のメッセージの確認モードを通して銀行振替を完成するシステム。
【請求項８】
前記メッセージの受発信モジュールは送受信のチップとかソフトウェアを含んでいる携帯電話或いは電話機、インターネットを通してメッセージを送信できるコンピュータ、又はメッセージを受発信するために製造された専門設備であることを特徴とする、請求項１又は２に記載の携帯電話のメッセージの確認モードを通して銀行振替を完成するシステム。
【請求項９】
前記予約証明書は数字および英語の字母から成っているパスワートであり、前記確認モジュールはパスワートの数字又は字母を鑑別する装置であることを特徴とする、請求項１又は２に記載の携帯電話のメッセージの確認モードを通して銀行振替を完成するシステム。
【請求項１０】
前記予約証明書はアカウントホールダーによって記録される特定の音声又は音楽であり、前記確認モジュールは電話録音装置又は可聴周波識別装置であることを特徴とする、請求項１又は２に記載の携帯電話のメッセージの確認モードを通して銀行振替を完成するシステム。
【請求項１１】
前記予約証明書はアカウントホールダーの携帯電話番号または携帯電話の国際的な移動式装置の身分識別番号であり、前記確認モジュールはアカウントホールダーの電子特性のための認識装置であることを特徴とする、請求項１又は２に記載の携帯電話のメッセージの確認モードを通して銀行振替を完成するシステム。
【請求項１２】
前記予約証明書はアカウントホールダーの指紋であり、前記確認モジュールは指紋の認識装置であることを特徴とする、請求項１又は２に記載の携帯電話のメッセージの確認モードを通して銀行振替を完成するシステム。
【請求項１３】
前記予約証明書はアカウントホールダーのサインかシールであり、前記確認モジュールは手書きの認識装置であることを特徴とする、請求項１又は２に記載の携帯電話のメッセージの確認モードを通して銀行振替を完成するシステム。
【請求項１４】
前記予約証明書はアカウントホールダーによって指定された映像であり、前記確認モジュールは画像像の認識装置であることを特徴とする、請求項１又は２に記載の携帯電話のメッセージの確認モードを通して銀行振替を完成するシステム。
【請求項１５】
前記確認モジュールは銀行人工的な確認モジュールであることを特徴とする、請求項１又は２に記載の携帯電話のメッセージの確認モードを通して銀行振替を完成するシステム。
【請求項１６】
携帯電話のメッセージ確認モードによる銀行振替を実現する方法がある。その特徴は以下のステップを含んでいて、
（ａ）アカウントホールダーは銀行で口座を開けて、該口座に自分の携帯電話番号を指定して結ぶステップと、
（ｂ）アカウントホールダーは銀行と予約証明書を規定して、それを確認モジュールに記憶するステップと、
（ｃ）専用ネットワーク又は内部インターフェイスを通して、振替操作ターミナルから携帯電話の送受信モジュールに移動要求情報を送るステップと、
（ｄ）前記携帯電話のメッセージの受発信モジュールは、前記振替操作ターミナルからの銀行振替要求の情報を受け取って分析し、更に、エンコードして銀行口座に結ばれたアカウントホールダーの携帯電話にメッセージを送るステップと、
（ｅ）前記携帯電話の受発信モジュールは、アカウントホールダーからの確認のメッセージを受け取ったかどうか自動的に検査し、確認のメッセージを受け取った時はそれを専用ネットワーク又は公衆インターネットを通して銀行のサーバーに送り、逆には、振替操作ターミナルに情報を反映して、振替操作を終わさせるステップと、
（ｆ）前記銀行のサーバーはアカウントホールダーの身元および資金移動の確認のメッセージに関する情報を含むアカウントホールダーからの確認メッセージを受け取って、それを前記確認モジュールに転送するステップと、
（ｇ）前記確認モジュールは、予約証明書をアカウントホールダーの身元の検査情報と比較して識別し、アカウントホールダーの身元が確認されれば、アカウントホールダーの指示に従って銀行振替ビジネス処理モジュールに振替操作命令を送り、逆には、前記銀行サーバーを通って前記振替操作ターミナルに情報を反映して、振替操作を終わさせるステップと、
（ｈ）前記銀行振替ビジネス処理モジュールは、ネットワークを通って前記確認モジュールからの専用振替操作の命令を受け取って取扱い、それから前記銀行のサーバーを通して振替操作ターミナルに振替操作の結果を反映するステップと、
を備えることを特徴とする、携帯電話のメッセージの確認モードを通して銀行振替を完成する方法。
【請求項１７】
前記ステップｈの後で、前記振替操作ターミナルが前記銀行のサーバーからの振替操作の結果に関するメッセージを前記受発信モジュールに転送し、それから前記メッセージをエンコードして前記銀行口座と結ばれたアカウントホールダーの携帯電話に送るステップを更に備えることを特徴とする、請求項１６に記載の携帯電話のメッセージの確認モードを通して銀行振替を完成する方法。
【請求項１８】
前記ステップｅの中で、メッセージの受発信モジュールは検査の回数、毎回の時間間隔を含む自動テストの変数を予め設定することを特徴とする、請求項１６又は１７に記載の携帯電話のメッセージの確認モードを通して銀行振替を完成する方法。
【請求項１９】
携帯電話のメッセージ確認モードによる銀行振替を実現する方法がある。その特徴は以下のステップを含んでいて、
（ａ）アカウントホールダーは銀行で口座を開けて、該口座に自分の携帯電話番号を指定して結ぶステップと、
（ｂ）アカウントホールダーは銀行と予約証明書を規定して、それを確認モジュールに記憶するステップと、
（ｃ）専用ネットワーク又は内部インターフェイスを通して、振替操作ターミナルから携帯電話の送受信モジュールに移動要求情報を送るステップと、
（ｄ）前記携帯電話のメッセージの受発信モジュールは、前記振替操作ターミナルからの銀行振替要求の情報を受け取って分析し、更に、エンコードして銀行口座に結ばれたアカウントホールダーの携帯電話にメッセージを送るステップと、
（ｅ）前記携帯電話の受発信モジュールは、アカウントホールダーからの確認のメッセージを受け取ったかどうか自動的に検査し、確認のメッセージを受け取った時はそれを専用ネットワーク又は公衆インターネットを通して銀行のサーバーに送り、逆には、振替操作ターミナルに情報を反映して、振替操作を終わさせるステップと、
（ｆ）前記銀行のサーバーはアカウントホールダーの身元および資金移動の確認のメッセージに関する情報を含むアカウントホールダーからの確認メッセージを受け取って、それを前記確認モジュールに転送するステップと、
（ｇ）前記確認モジュールは、予約証明書をアカウントホールダーの身元の検査情報と比較して識別し、アカウントホールダーの身元が確認されれば、アカウントホールダーの指示に従って銀行振替ビジネス処理モジュールに振替操作命令を送り、逆には、前記銀行サーバーを通って前記振替操作ターミナルに情報を反映して、振替操作を終わさせるステップと、
を備えることを特徴とする、携帯電話のメッセージの確認モードを通して銀行振替を完成する方法。
【請求項２０】
前記ステップｇの後、前記振替操作ターミナルは銀行サーバーからの振替操作の結果に関するメッセージを前記メッセージの受発信モジュールに転送し、それから前記メッセージに対してエンコードして前記銀行口座と結ばれたアカウントホールダーの携帯電話に送ることを特徴とする、請求項１９に記載の携帯電話のメッセージの確認モードを通して銀行振替を完成する方法。
【請求項２１】
前記ステップeの中で、前記メッセージの受発信モジュールは検査の回数、毎回の時間間隔を含む自動テストの変数を予め設定することを特徴とする、請求項１９又は２０に記載の携帯電話のメッセージの確認モードを通して銀行振替を完成する方法。
【発明の詳細な説明】
【技術分野】
【０００１】
本発明は銀行トランザクションの完了に関連するシステムと方法に係り、特に、携帯電話のメッセージの確認によって銀行振替を実現するシステムと方法に関する。
【背景技術】
【０００２】
現代先進の商業社会では、人間と人間の間、人間と企業の間、企業と企業の間の資金の移動は銀行口座の資金の調達によって実現する。銀行振替のセキュリティ上の問題は広範な関心を引いてきた。クレジットカードが広く使用されることに従って、人々のクレジットカードの損失と窃盗のため、アカウントホールダーに極めて大きい経済の損失を持ってくる。同様に、個人口座、企業口座などに対しては、銀行通帳とか銀行カードの損失、パスワードまたはシールの窃盗が常に発生するため、更に、他人によって資金が不正に受け取られ、又は任意に資金が転位されるため、アカウントホールダーに大きい経済の損失を持って来ることができる。
【０００３】
従来の技術において、アカウントホールダーは銀行に紛失届を出すことによって自分の銀行口座の資金が他人に不正に受け取られることを防ぐ。しかし、現実中、いつも直ちに紛失届を出すことができないので、アカウントホールダーに挽回できない経済的な損失を持ってくる。通常、クレジットカードの損失、銀行通帳また銀行カードの損失、手形のパスワードまたシールの窃盗が発生した場合において、しかも、直ちに紛失届を出すことができない場合には、アカウントホールダーはいつも戸惑って仕方がなくなる。しかし、これに関して、従来の技術にはまだ有効な解決がなかった。
【発明の開示】
【発明が解決しようとする課題】
【０００４】
本発明は、携帯電話のメッセージの確認モードを通して銀行振替を完成させるシステムを提供して、アカウントホールダーから自分の銀行口座の資金の変更状態に対してのリアルタイム制御を行うようにさせて、クレジットカードの紛失、銀行通帳また銀行カードの紛失、手形のパスワードまたはシールコピーの窃盗が発生した場合、他人によって資金が不正に受け取られ、又は任意に資金が転位される危険を速やかで有効な避けることができる。
【課題を解決するための手段】
【０００５】
前記携帯電話のメッセージの確認モードを通して銀行振替を完成させるシステムには、銀行サーバーと、確認モジュールと、銀行振替ビジネス処理モジュールと、振替操作ターミナルと、メッセージの受発信モジュールとを含んでいる。
【０００６】
前記銀行サーバーには銀行口座が記憶するされているが、該口座はアカウントホールダーによって開設された資金口座であって、該口座にはアカウントホールダーの携帯電話が結ばれ、前記銀行サーバーは専用ネットワークを通じて前記確認モジュールおよび前記銀行振替ビジネス処理モジュールと接続される。
【０００７】
前記確認モジュールは、アカウントホールダーの予約の説明書を保存していて、確認モジュールの中継から来るアカウントホールダーの携帯電話の記述移動の確認情報を受け取って分析し、そして、この情報と予約の証明書を比較・区別し、アカウントホールダーの身元を確認し、そして、アカウントホールダーの指示に従い、銀行振替ビジネス処理モジュールに転送の命令を伝達する。前記予約証明書とは、アカウントホールダーと銀行によって前もって予約されたアカウントホールダーの身元と関連している個性化な情報を指す。
【０００８】
前記銀行振替ビジネス処理モジュールは、前記確認モジュールからの銀行振替の処理命令を受け取って処理し、そして前記銀行サーバーを通じて前記振替操作ターミナルに振替操作の結果を反映する。
【０００９】
前記振替操作ターミナルは、公衆インターネット又は専用ネットワークを通じて、前記銀行サーバーに接続され、前記銀行サーバーからの振替操作の結果に関するメッセージを受け取る。また、前記振替操作ターミナルは前記受発信モジュールと接続して、振替要求に関するメッセージを該受発信モジュールに送る。
【００１０】
前記メッセージの受発信モジュールは、メッセージ転送に使用される装置であって、公衆また専用ネットワークを通って銀行サーバーに接続され、該メッセージ受発信モジュールは振替操作ターミナルからの移動要求メッセージを受け取って分析し、またエンコードて、銀行口座と結ばれたカウントホールダーの携帯電話に送り、そして、アカウントホールダーの携帯電話からの確認のメッセージを自動的に受け取って検査し、それから前記銀行サーバーに転送する。
【００１１】
このシステムは更に下記のステップを含んでいる。即ち、前記振替操作ターミナルは、銀行サーバーからの振替処理の結果情報を、前記メッセージの受発信モジュールに転送し、そしてエンコードして銀行口座と結ばれたカウントホールダーの携帯電話に伝送する。
【００１２】
また、このシステムにおいて、前記銀行口座は個人のクレジットカードの口座、個人の普通預金の口座、企業の口座、又は同業の預金の口座、国庫の口座である。
【００１３】
また、このシステムにおいて、前記メッセージは文字メッセージ、音声メッセージ、画像メッセージから選ばれた一種又は一種以上の組合せである。
【００１４】
また、このシステムにおいて、前記振替操作ターミナルは消費場所のカード使用の振替操作ターミナル、銀行ビジネスカウンターのカード使用の振替操作ターミナル、又は銀行ビジネスカウンターの手動振替操作ターミナルである。
【００１５】
更に、このシステムにおいて、前記振替操作ターミナルとメッセージの受発信モジュールは専用ネットワークによって接続され、または前記振替操作ターミナルとメッセージの受発信モジュールを一つの装置として組み合わせて、それらは内部インターフェイスを通して互いに接続されることができる。
【００１６】
更に、このシステムにおいて、前記メッセージの受発信モジュールは送受信のチップとかソフトウェアを含む携帯電話或いは電話機、インターネットを通してメッセージを送信できるコンピュータ、又はメッセージを受発信するために製造された専門設備である。
【００１７】
更に、このシステムにおいて、前記予約証明書はアカウントホールダーと銀行の間によって予約されたアカウントホールダーの身元に関連する個性化な情報であって、例えば、アカウントホールダーの指紋をスキャンして携帯電話に保存された情報、または撮影された特定写真、アカウントホールダーによって描かれた絵、アカウントホールダーのサイン、又は携帯電話に録音された声、銀行確認モジュールに伝送された携帯電話からの画像および音声によってアカウントホールダーの身元を確認する識別情報等を予約証明書とすることができる。
【００１８】
更に、このシステムにおいて、前記予約証明書及び確認モジュールは次のような対応方法がある。
【００１９】
前記予約証明書は数字及び英語の字母から成っているパスポートであり、前記確認モジュールは前記数字又は字母から形成したパスポートを鑑別する装置である。
【００２０】
又は、前記予約証明書はアカウントホールダーによって記録された特定の声或いは音楽であり、前記確認モジュールは電話録音装置或いは可聴周波頻度認識装置である。
【００２１】
又は、前記予約証明書はアカウントホールダーの携帯電話番号或いは携帯電話の国際的な移動式装置の身分識別番号であり、前記確認モジュールはアカウントホールダーの電子特性のための認識装置である。
【００２２】
又は、前記予約証明書はアカウントホールダーの指紋であり、前記確認モジュールは指紋の認識装置である。
【００２３】
又は、前記予約証明書はアカウントホールダーのサイン或いはシールであり、前記確認モジュールは手書きの認識装置である。
【００２４】
又は、前記予約証明書はアカウントホールダーが指定した画像であり、前記確認モジュールは前記画像の認識装置である。
【００２５】
更に、前記確認モジュールは銀行の人口的な確認モジュールであって、アカウントホールダーからの確認情報を受け取っているを直接検査して、アカウントホールダーの身元を確認することもできる。
【００２６】
以下、本発明は、携帯電話のメッセージの確認モードを使用して銀行振替を完成する方法を提供する。
【００２７】
該方法は、以下のステップを備える：
（ａ）アカウントホールダーは銀行で口座を開けて、該口座は自分の携帯電話番号を指定して結ぶステップ；
（ｂ）アカウントホールダーと銀行は予約証明書を規定して、それを確認モジュールに記憶するステップ；
（ｃ）専用ネットワーク又は内部インターフェイスを通して、振替操作ターミナルから携帯電話の送受信モジュールに移動要求情報を送るステップ；
（ｄ）前記携帯電話のメッセージの受発信モジュールは、前記振替操作ターミナルからの銀行振替要求の情報を受け取って分析し、更に、エンコードして銀行口座に結ばれたアカウントホールダーの携帯電話にメッセージを送るステップ；
（ｅ）前記携帯電話の受発信モジュールは、アカウントホールダーからの確認のメッセージを受け取ったかどうか自動的に検査し、確認のメッセージを受け取った時はそれを専用ネットワーク又は公衆インターネットを通して銀行のサーバーに送り、逆には、振替操作ターミナルに情報を反映して、振替操作を終わさせるステップと；
（ｆ）前記銀行のサーバーはアカウントホールダーの身元および資金移動の確認のメッセージに関する情報を含むアカウントホールダーからの確認メッセージを受け取って、それを前記確認モジュールに転送するステップ；
（ｇ）前記確認モジュールは、予約証明書をアカウントホールダーの身元の検査情報と比較して識別し、アカウントホールダーの身元が確認されれば、アカウントホールダーの指示に従って銀行振替ビジネス処理モジュールに振替操作命令を送り、逆には、前記銀行サーバーを通って前記振替操作ターミナルに情報を反映して、振替操作を終わさせるステップ；
（ｈ）前記銀行振替ビジネス処理モジュールは、ネットワークを通って前記確認モジュールからの専門振替操作の命令を受け取って取扱い、それから前記銀行のサーバーを通して振替操作ターミナルに振替操作の結果を反映するステップ。
【００２８】
また、前記方法は、前記ステップｈの後で、前記振替操作ターミナルが前記銀行のサーバーからの振替操作の結果に関するメッセージを前記受発信モジュールに転送し、それから前記メッセージをエンコードして前記銀行口座と結ばれたアカウントホールダーの携帯電話に送るステップを更に備える。
【００２９】
また、前記ステップｅの中で、メッセージの受発信モジュールは検査の回数、毎回の時間間隔を含む自動テストの変数を予め設定する。
【００３０】
以下、本発明は携帯電話のメッセージの確認モードを使用して銀行振替を完成する別の方法を提供する。
【００３１】
携帯電話のメッセージ確認モードによる銀行振替を実現する方法は以下のステップで構成する。
【００３２】
該方法は、以下のステップを備える：
（ａ）アカウントホールダーは銀行で銀行口座を開けて、この口座にの携帯電話番号を指定して結ぶステップ；
（ｂ）アカウントホールダーは銀行と予約証明書を規定して、それを確認モジュールに記憶するステップ；。
（ｃ）専用ネットワーク又は内部インターフェイスを通して、振替操作ターミナルから携帯電話の送受信モジュールに移動要求情報を送るステップ；
（ｄ）前記携帯電話のメッセージの受発信モジュールは、前記振替操作ターミナルからの銀行振替要求の情報を受け取って分析し、更に、エンコードして銀行口座に結ばれたアカウントホールダーの携帯電話にメッセージを送るステップ；
（ｅ）前記携帯電話の受発信モジュールは、アカウントホールダーからの確認のメッセージを受け取ったかどうか自動的に検査し、確認のメッセージを受け取った時はそれを専用ネットワーク又は公衆インターネットを通して銀行のサーバーに送り、逆には、振替操作ターミナルに情報を反映して、振替操作を終わさせるステップ；
（ｆ）前記銀行のサーバーはアカウントホールダーの身元および資金移動の確認のメッセージに関する情報を含むアカウントホールダーからの確認メッセージを受け取って、それを前記確認モジュールに転送するステップ；
（ｇ）前記確認モジュールは、予約証明書をアカウントホールダーの身元の検査情報と比較して識別し、アカウントホールダーの身元が確認されれば、アカウントホールダーの指示に従って銀行振替ビジネス処理モジュールに振替操作命令を送り、逆には、前記銀行サーバーを通って前記振替操作ターミナルに情報を反映して、振替操作を終わさせるステップ。
【００３３】
また、前記方法は、前記ステップｇの後、前記振替操作ターミナルは銀行サーバーからの振替操作の結果に関するメッセージを前記メッセージの受発信モジュールに転送し、それから前記メッセージに対してエンコードして前記銀行口座と結ばれたアカウントホールダーの携帯電話に送るステップを更に備える。
【００３４】
また、前記ステップeの中で、前記メッセージの受発信モジュールは検査の回数、毎回の時間間隔を含む自動テストの変数を予め設定する。
【発明の効果】
【００３５】
本発明の中で述べられた携帯電話のメッセージ確認モードによって銀行振替を実現するシステムと方法は現在の技術にある問題を解決し、次の得点がある。
【００３６】
（１）銀行振替に関する新しいムードを提供して、資金の移動が発生する時、メッセージの方式を利用してアカウントホールダーの確認を実現するので、資金の移動の前にアカウントホールダーおよび銀行の相互監督を実現し、また、銀行口座の資金の変更の状態に対してリアルタイム制御を実現して、クレジットカードの損失、銀行通帳又は銀行カードの損失、手形のパスワード或いはシールの窃盗が発生した場合、他人によって資金が不正に受け取られ、或いは資金が任意に転位される危険を速やかで効果的に避けることができて、アカウントホールダーの資金の安全性を確保するようになる。
【００３７】
（２）また、本発明は、その実施が簡単で、現在の銀行システムと振替操作ターミナル等の装置を使用し、そして現在の移動式テレコミュニケーションの技術によって様々なプラットホームおよび技術を結合することができて、本発明の技術方案によれば、システム配置を達成し、急速に広がることができる。
【００３８】
（３）更に、予約証明書及び携帯電話のメッセージの二重確認のメカニズムのため、銀行口座での企業の資金をより安全的に保護することができ、また、企業法人の本会社の現金流動の状態に対するすみやかな管理が実現できて、企業の管理がより便利になるようにする。
【発明を実施するための最良の形態】
【００３９】
以下、図面に基づいて、本発明の具体的な実施形態を詳しく説明する。
【００４０】
まず、図１に示すように、前記携帯電話のメッセージの確認モードを通して銀行振替を完成するシステムは、銀行サーバー１と、確認モジュール２と、銀行振替ビジネス処理モジュール３と、振替操作ターミナル４と、メッセージの受発信モジュール５と、を備える。
【００４１】
この中で、前記銀行サーバー１には銀行口座が記憶されておるが、該口座はアカウントホールダーによって開設された資金口座であって、該口座にはアカウントホールダーの携帯電話６が結ばれており、専用ネットワークを介して、該銀行サーバー１と前記確認モジュール２及び前記銀行振替ビジネス処理モジュール３を連結する。
【００４２】
また、前記確認モジュール２は、アカウントホールダーの予約説明書を保存していて、前記銀行サーバー１から転送したアカウントホールダーの携帯電話６からの振替確認情報を受け取って分析し、それから、この情報と前記予約証明書を比較・区別し、アカウントホールダーの身元を確認し、更に、アカウントホールダーの指示に従って、銀行振替ビジネス処理モジュール３に転送の命令を伝達する。ここで、予約証明書はアカウントホールダーと銀行によって前もって予約されたアカウントホールダーの身元と関連している個性化な情報を指す。
【００４３】
また、前記銀行振替ビジネス処理モジュール３は、前記確認モジュール２からの振替操作命令を受け取って処理し、それから、前記銀行のサーバー１を通して該振替の処理結果を振替操作ターミナル４に反映する。
【００４４】
また、前記振替操作ターミナル４は、公衆インターネット又は専用ネットワークを通して前記銀行サーバー１に接続されて、該銀行サーバー１からの振替操作の結果を受け取る。、該振替操作ターミナル４はメッセージの受発信モジュール５と接続して、該受発信モジュール５に振替の請求情報を送る。
【００４５】
また、前記メッセージの受発信モジュール５は、メッセージの発送及び接収に使用される装置であって、公衆また専用ネットワークを介して前記銀行サーバー１に接続される。該メッセージの受発信モジュール５は、前記振替操作ターミナル４からの振替の請求情報を受け取って分析し、更にエンコードして銀行口座と結ばれたアカウントホールダーの携帯電話６に伝送し、そして、アカウントホールダーの携帯電話６からの確認のメッセージを接収して自動的に検査して、前記銀行サーバー１に転送する。
【００４６】
更に、本システムにおいて、前記振替操作ターミナル４は前記銀行サーバー１からの振替の処理結果の情報を前記メッセージの受発信モジュール５に転送し、そしてエンコードして前記銀行口座に結ばれたアカウントホールダーの携帯電話６に発信するは。
【００４７】
図１において、前記振替操作ターミナル４及びメッセージの受発信モジュール５は異なる接続方法を有することができる。例えば、同図の左側に示すように、両者は互いに独立であって、その間は特別専用なネットワークを通って接続されるが、同図の右例に示すように、両者は一つの装置に組み合わせられて、その間は内部インターフェイスを通して接続される。
【００４８】
［実施形態一：クレジットカードによる支払の資金の転出］
本実施形態において、前記振替操作ターミナルは消費市場に設置しているカード使用の振替操作ターミナルであり、前記メッセージの受発信モジュールは送受信ためのチップ或いはソフトウェアを取付けた携帯電話或いは電話機、インターネットを通してメッセージが送信できるコンピュータ、又はメッセージを送受信するために特に製造された装置である。
【００４９】
また、本実施形態において、前記振替操作ターミナルと前記メッセージの受発信モジュールは専用ネットワークシステムを介して接続され、または前記振替操作ターミナルとメッセージの受発信モジュールを一つの装置に組み合わせられて、内部インターフェイスを通してそれらを接続する。
【００５０】
次に、図２を参照して、本発明の携帯電話のメッセージの確認モードを通して銀行振替を完成する方法を説明する。
【００５１】
まず、アカウントホールダーは銀行でクレジットカードの口座を開けて、該口座にアカウントホールダーの携帯電話番号を結ぶが、これがステップ１０１である。
【００５２】
それから、アカウントホールダーは銀行と予約証明書を設定して、確認モジュールに保存するが、これがステップ１０２である。
【００５３】
例えば、ある人がホテル、レストラン又はデパートなど消費場所で前記クレジットカードで支払う場合、資金の振替操作ターミナルは専用ネットワーク或いは内部インターフェイスを通して受発信モジュールに資金の振替の要求情報を送るが、これがステップ１０３である。その後、受発信モジュールは振替操作ターミナルからの資金振替の要求情報を受け取って分析し、更にエンコードして前記銀行口座に結ばれたアカウントホールダーの携帯電話にメッセージを伝送するが、これがステップ１０４である。ここで、メッセージの内容は、銀行口座から転出しようとする資金の額、資金の受け取る口座又は受け取る場所等に関する情報を含む。それから、前記受発信モジュールは、アカウントホールダーの携帯電話からの確認メッセージがあるかを自動的に検査するが、これがステップ１０５である。ここで、確認メッセージを受け取ったとする場合、前記受発信モジュールは専用ネットマーク又は公衆ネットワークを通して前記銀行サーバーにその確認メッセージを伝送するが、これがステップ１０６である。逆に、前記確認メッセージを受け取らなかったとする場合、前記受発信モジュールはその状況を前記振替操作ターミナルに反映して、振替の操作を終わるが、これがステップ１０７である。前記銀行サーバーは、アカウントホールダーからの身元の確認情報等を含む確認メッセージを受け取って、それを確認モジュールに転送するがこれがステップ１０８である。
【００５４】
続いて、確認モジュールはアカウントホールダーの身元の確認情報を予約証明書と比較して識別するが、これがステップ１０９である。この時、アカウントホールダーの身元が確認されば、確認モジュールはアカウントホールダーの指示に従って、資金の転出又は転出の拒絶の命令等を含む資金移動の処理命令を前記銀行振替ビジネス処理モジュールに送るがこれがステップ１１０である。逆には確認モジュールはその状況を資金の振替操作ターミナルに反映して、振替操作を終わるが、これがステップ１１１である。また、銀行振替ビジネス処理モジュールは専用ネットワークを通してモジュールからの資金の移動処理の命令を受け取って処理し、そして銀行サーバーを通して資金の移動処理の結果を転送ターミナルに反映するが、これがステップ１１２である。振替操作が終わると、トランザクションの手形をプリントする。
【００５５】
ここで、前記ステップ１１２の銀行振替が終わった後、アカウントホールダーを知らせるステップを加えることができるが、これがステップ１１３である。振替操作ターミナルは銀行のサーバーからの振替操作の結果に関するメッセージを受発信モジュールに転送して、更にエンコードして前記銀行口座と結ばれたアカウントホールダーの携帯電話に発信する。
【００５６】
上記方法において、予約証明書はアカウントホールダーと銀行が前もって約定したアカウントホールダーの身元に関連する個性化の情報であって、例えば、スキャンされたホールダーの指紋或いは撮影された特定写真、アカウントホールダーによって描かれた絵、アカウントホールダーのサイン、携帯電話に録音された声、携帯電話から銀行確認モジュールに発送した指定な映像及び音声によってアカウントホールダーの身元を識別するための指定な映像及び音声等の情報が予約証明書になる。
【００５７】
また、このシステムにおいて、前記予約証明書および確認モジュールは次のような対応方法があることができる。
【００５８】
つまり、前記予約証明書は数字及び英語の字母から成っているパスポートであり、前記確認モジュールは前記数字又は字母から形成したパスポートを鑑別する装置である。
【００５９】
又は、前記予約証明書はアカウントホールダーによって記録された特定の声或いは音楽であり、前記確認モジュールは電話録音装置或いは可聴周波頻度認識装置である。
【００６０】
又は、前記予約証明書はアカウントホールダーの携帯電話番号或いは携帯電話の国際的な移動式装置の身分識別番号であり、前記確認モジュールはアカウントホールダーの電子特性のための認識装置である。
【００６１】
又は、前記予約証明書はアカウントホールダーの指紋であり、前記確認モジュールは指紋の認識装置である。
【００６２】
又は、前記予約証明書はアカウントホールダーのサイン或いはシールであり、前記確認モジュールは手書きの認識装置である。
【００６３】
又は、前記予約証明書はアカウントホールダーが指定した画像であり、前記確認モジュールは前記画像の認識装置である。
【００６４】
前記方案の中で、前記確認モジュールはアカウントホールダーの携帯電話からの特定な文字メッセージまた画映像メッセージまたは音声メッセージを受け取って、前記確認モジュールの中に保存された予約証明書と比較及び識別される。
【００６５】
以下、図３を参照して、本発明の携帯電話のメッセージの確認モードを通して銀行振替を完成する別の方法を説明する。
【００６６】
まず、アカウントホールダーは銀行でクレジットカードの口座を開けて、該口座にアカウントホールダーの携帯電話番号を結ぶが、これがステップ２０１である。
【００６７】
それから、アカウントホールダーは銀行と予約証明書を設定して、確認モジュールに保存するが、これがステップ２０２である。
【００６８】
例えば、ある人がホテル、レストラン又はデパートなど消費場所で前記クレジットカードで支払う場合、資金の振替操作ターミナルは専用ネットワーク或いは内部インターフェイスを通して受発信モジュールに資金の振替の要求情報を送るが、これがステップ２０３である。その後、受発信モジュールは振替操作ターミナルからの資金振替の要求情報を受け取って分析し、更にエンコードして前記銀行口座に結ばれたアカウントホールダーの携帯電話にメッセージを伝送するが、これがステップ２０４である。ここで、メッセージの内容は、銀行口座から転出しようとする資金の額、資金の受け取る口座又は受け取る場所等に関する情報を含む。それから、前記銀行の人工確認モジュールは、アカウントホールダーの携帯電話からの確認電話があるかを自動的に検査するが、これがステップ２０５である。この時、確認電話を受け取ったとする場合は、アカウントホールダーの身元の確認を行うが、これがステップ２０６である。逆には、を前記振替操作ターミナルに反映して、振替の操作を終わるが、これがステップ２０７である。続いて、アカウントホールダーの身元が確認されば、銀行の人工確認モジュールはアカウントホールダーの指示に従って、資金移動の処理命令を前記銀行振替ビジネス処理モジュールに送るがこれがステップ２０８である。逆には、振替操作ターミナルに反映して、振替操作を終わるが、これがステップ２０９である。また、銀行振替ビジネス処理モジュールは専用ネットワークを通してモジュールからの資金の移動処理の命令を受け取って処理し、そして銀行サーバーを通して資金の移動処理の結果を転送ターミナルに反映するが、これがステップ２１０である。振替操作が終わると、トランザクションの手形をプリントする。
【００６９】
更に、前記ステップ２１０の銀行振替が終わった後、アカウントホールダーを知らせるステップを加えることができるが、これがステップ２１１である。そして、振替操作ターミナルは銀行のサーバーからの振替操作の結果に関するメッセージを受発信モジュールに転送して、それをエンコードして前記銀行口座と結ばれたアカウントホールダーの携帯電話発信する。
【００７０】
［実施形態二：個人の銀行口座の資金の転出］
本実施形態において、前記振替操作ターミナルは銀行ビジネスカウンターのカード使用の振替操作ターミナルであり、前記メッセージの受発信モジュールは送受信ためのチップ或いはソフトウェアを取付けた携帯電話或いは電話機、インターネットを通してメッセージが送信できるコンピュータ、又はメッセージを送受信するために特に製造された装置である。
【００７１】
また、本実施形態において、前記振替操作ターミナルと前記メッセージの受発信モジュール及び前記確認モジュールは専用ネットワークシステムを介して接続され、又は前記振替操作ターミナルとメッセージの受発信モジュール及び前記確認モジュールを一つの装置に組み合わせられて、内部インターフェイスを通してそれらを接続する。
【００７２】
次に、図２を参照して、本発明の携帯電話のメッセージの確認モードを通して銀行振替を完成する方法を説明する。
【００７３】
まず、アカウントホールダーは銀行でクレジットカードの口座を開けて、該口座にアカウントホールダーの携帯電話番号を結ぶが、これがステップ１０１である。
【００７４】
それから、アカウントホールダーは銀行と予約証明書を設定して、確認モジュールに保存するが、これがステップ１０２である。
【００７５】
例えば、ある人が銀行通帳、銀行カード或いはクレジットカードで銀行から資金を転出する場合、資金の振替操作ターミナルは専用ネットワーク又は内部インターフェイスを通して受発信モジュールに資金の移動の要求情報を送るが、これがステップ１０３である。メッセージの受発信モジュールは振替操作ターミナルからの資金の振替の要求情報を受け取って分析し、更にエンコードして前記銀行口座に結ばれたアカウントホールダーの携帯電話にメッセージを送るが、これがステップ１０４である。ここで、メッセージの内容は銀行口座から転出する資金の額、資金の受け取る口座又は受け取る場所に関する情報を含む。また、前記受発信モジュールは、アカウントホールダーの携帯電話からの確認メッセージを受け取っているかを自動的に検査するが、これがステップ１０５になる。この時、確認メッセージを受け取れば、前記受発信モジュールは専用ネットマーク又は公衆ネットワークを通して、該確認メッセージを銀行サーバーに送るが、これがステップ１０６になる。逆に、前記確認メッセージを受け取らなければ、前記受発信モジュールはその状況を前記振替操作ターミナルに反映して、振替の操作を終わるが、これがステップ１０７になる。また、前記銀行サーバーは、アカウントホールダーの身元及び振替操作の確認情報を含むアカウントホールダーからの確認メッセージを受け取って、前記確認モジュールに転送するが、これがステップ１０８になる。続いて、確認モジュールはアカウントホールダーの身元の確認情報を予約証明書と比較して識別するが、これがステップ１０９になる。この時、アカウントホールダーの身元が確認されば、確認モジュールはアカウントホールダーの指示に従って、資金の転出又は転出の拒絶の命令等を含む資金振替の処理命令を銀行振替ビジネス処理モジュールに送るが、これがステップ１１０になる。逆には、前記確認モジュールからその状況を銀行の振替操作ターミナルに反映して、振替操作を終わるが、これがステップ１１１になる。また、銀行振替ビジネス処理モジュールは、専用ネットワークを通してモジュールからの資金振替の処理の命令を受け取って処理し、更に銀行サーバーを通してその結果を、転送ターミナルに反映するが、これがステップ１１２になる。振替操作が終わると、トランザクションの手形をプリントする。
【００７６】
ここで、前記ステップ１１２の銀行振替が終わった後、アカウントホールダーを知らせるステップを加えることができるが、これがステップ１１３である。振替操作ターミナルは、銀行のサーバーからの振替操作の結果に関するメッセージを受発信モジュールに転送して、且つエンコードして前記銀行口座と結ばれたアカウントホールダーの携帯電話に発信する。
【００７７】
上記方法において、予約証明書はアカウントホールダーと銀行が前もって約定したアカウントホールダーの身元に関連する個性化の情報であって、例えば、スキャンされたホールダーの指紋或いは撮影された特定写真、アカウントホールダーによって描かれた絵、アカウントホールダーのサイン、携帯電話に録音された声、携帯電話から銀行確認モジュールに発送した指定な映像及び音声によってアカウントホールダーの身元を識別するための指定な映像及び音声等の情報が予約証明書になる。
【００７８】
また、このシステムにおいて、前記予約証明書および確認モジュールは次のような対応方法を有することができる。
【００７９】
つまり、前記予約証明書は数字及び英語の字母から成っているパスポートであり、前記確認モジュールは前記数字又は字母から形成したパスポートを鑑別する装置である。
【００８０】
又は、前記予約証明書はアカウントホールダーによって記録された特定の声或いは音楽であり、前記確認モジュールは電話録音装置或いは可聴周波頻度認識装置である。
【００８１】
又は、前記予約証明書はアカウントホールダーの携帯電話番号或いは携帯電話の国際的な移動式装置の身分識別番号であり、前記確認モジュールはアカウントホールダーの電子特性のための認識装置である。
【００８２】
又は、前記予約証明書はアカウントホールダーの指紋であり、前記確認モジュールは指紋の認識装置である。
【００８３】
又は、前記予約証明書はアカウントホールダーのサイン或いはシールであり、前記確認モジュールは手書きの認識装置である。
【００８４】
又は、前記予約証明書はアカウントホールダーが指定した画像であり、前記確認モジュールは前記画像の認識装置である。
【００８５】
前記方案の中で、前記確認モジュールはアカウントホールダーの携帯電話からの特定な文字メッセージまた画映像メッセージまたは音声メッセージを受け取って、前記確認モジュールの中に保存された予約証明書と比較及び識別される。
【００８６】
以下、図３を参照して、本発明の携帯電話のメッセージの確認モードを通して銀行振替を完成する別の方法を説明する。
【００８７】
まず、アカウントホールダーは銀行でクレジットカードの口座を開けて、該口座にアカウントホールダーの携帯電話番号を結ぶが、これがステップ２０１である。
【００８８】
それから、アカウントホールダーは銀行と予約証明書を設定して、確認モジュールに保存するが、これがステップ２０２である。
【００８９】
例えば、ある人が銀行通帳、銀行カード或いはクレジットカードで銀行から資金を転出する場合、資金の振替操作ターミナルは専用ネットワーク又は内部インターフェイスを通して、受発信モジュールに資金の移動の要求情報を送るが、これがステップ２０３である。メッセージの受発信モジュールは振替操作ターミナルからの資金振替の要求情報を受け取って分析し、更にエンコードして前記銀行口座に結ばれたアカウントホールダーの携帯電話にメッセージを送るが、これがステップ２０４である。ここで、メッセージの内容は銀行口座から転出する資金の額、資金の受け取る口座又は受け取る場所に関する情報を含む。また、銀行の人工によって、前記受発信モジュールは、アカウントホールダーからの確認電話を受け取っているかを自動的に検査するが、これがステップ２０５になる。この時、確認電話を受け取ったとする場合は、アカウントホールダーの身元の確認を行うが、これがステップ２０６である。逆には、を前記振替操作ターミナルに反映して、振替の操作を終わるが、これがステップ２０７である。続いて、アカウントホールダーの身元が確認されば、銀行の人工確認モジュールはアカウントホールダーの指示に従って、資金移動の処理命令を前記銀行振替ビジネス処理モジュールに送るがこれがステップ２０８である。逆には、振替操作ターミナルに反映して、振替操作を終わるが、これがステップ２０９である。また、銀行振替ビジネス処理モジュールは専用ネットワークを通してモジュールからの資金の移動処理の命令を受け取って処理し、そして銀行サーバーを通して資金の移動処理の結果を転送ターミナルに反映するが、これがステップ２１０である。振替操作が終わると、トランザクションの手形をプリントする。
【００９０】
更に、前記ステップ２１０の銀行振替が終わった後、アカウントホールダーを知らせるステップを加えることができるが、これがステップ２１１である。そして、振替操作ターミナルは銀行のサーバーからの振替操作の結果に関するメッセージを受発信モジュールに転送して、それをエンコードして前記銀行口座と結ばれたアカウントホールダーの携帯電話発信する。
【００９１】
［実施形態三：企業口座の資金の転出］
本実施形態において、前記振替操作ターミナルは消費場所に設置されているカード使用の振替操作ターミナルであり、前記メッセージの受発信モジュールは送受信ためのチップ或いはソフトウェアを取付けた携帯電話或いは電話機、インターネットを通してメッセージが送信できるコンピュータ、又はメッセージを送受信するために特に製造された装置である。
【００９２】
また、本実施形態において、前記振替操作ターミナルと前記メッセージの受発信モジュールは専用ネットワークシステムを介して接続され、又は前記振替操作ターミナルとメッセージの受発信モジュールを一つの装置に組み合わせて、内部インターフェイスを通してそれらを接続する。
【００９３】
次に、図２を参照して、本発明の携帯電話のメッセージの確認モードを通して銀行振替を完成する方法を説明する。
【００９４】
まず、企業は銀行でクレジットカードの口座を開けて、該口座に企業の法人代表人の携帯電話番号を結ぶが、これがステップ１０１である。
【００９５】
それから、企業の法人代表人は銀行と予約証明書を設定して、確認モジュールに保存するが、これがステップ１０２である。
【００９６】
例えば、ある人が企業の小切手又は為替で銀行から資金を転出する場合、銀行の職員は、前記小切手又は為替のシールと銀行での該企業の予約シールが同じであるのかを確認してから、また該企業の銀行口座を人工振替操作ターミナルに入力する。銀行の人工の振替操作ターミナルは専用ネットワーク又は内部インターフェイスを通して受発信モジュールに資金の振替の要求情報を送るが、これがステップ１０３である。メッセージの受発信モジュールは人工の振替操作ターミナルからの資金振替の要求情報を受け取って分析し、更にエンコードして前記銀行口座に結ばれたアカウントホールダーの携帯電話にメッセージを送るが、これがステップ１０４である。ここで、メッセージの内容は銀行口座から転出する資金の額、資金の受け取る口座又は受け取る場所に関する情報を含む。また、前記受発信モジュールは、企業の法人代表人の携帯電話からの確認メッセージを受け取っているかを自動的に検査するが、これがステップ１０５になる。この時、確認メッセージを受け取れば、前記受発信モジュールは専用ネットマーク又は公衆ネットワークを通して、該確認メッセージを銀行サーバーに送るが、これがステップ１０６になる。逆に、前記確認メッセージを受け取らなければ、前記受発信モジュールはその状況を前記振替操作ターミナルに反映して、振替の操作を終わるが、これがステップ１０７になる。また、前記銀行サーバーは、企業の法人代表人の身元及び振替操作の確認情報を含むアカウントホールダーからの確認メッセージを受け取って、前記確認モジュールに転送するが、これがステップ１０８になる。続いて、確認モジュールは企業の法人代表人の身元の確認情報を予約証明書と比較して識別するが、これがステップ１０９になる。この時、企業の法人代表人の身元が確認されば、確認モジュールはアカウントホールダーの指示に従って、資金の転出又は転出の拒絶の命令等を含む資金振替の処理命令を銀行振替ビジネス処理モジュールに送るが、これがステップ１１０になる。逆には、前記確認モジュールからその状況を銀行の振替操作ターミナルに反映して、振替操作を終わるが、これがステップ１１１になる。また、銀行振替ビジネス処理モジュールは、専用ネットワークを通してモジュールからの資金振替の処理の命令を受け取って処理し、更に銀行サーバーを通してその結果を、転送ターミナルに反映するが、これがステップ１１２になる。振替操作が終わると、トランザクションの手形をプリントする。
【００９７】
ここで、前記ステップ１１２の銀行振替が終わった後、企業の法人代表人を知らせるステップを加えることができるが、これがステップ１１３である。人工の振替操作ターミナルは、銀行のサーバーからの振替操作の結果に関するメッセージを受発信モジュールに転送して、且つエンコードして前記銀行口座と結ばれた企業の法人代表人の携帯電話に発信する。
【００９８】
上記方法において、予約証明書はアカウントホールダーと銀行が前もって約定したアカウントホールダーの身元に関連する個性化の情報であって、例えば、スキャンされたホールダーの指紋或いは撮影された特定写真、アカウントホールダーによって描かれた絵、アカウントホールダーのサイン、携帯電話に録音された声、携帯電話から銀行確認モジュールに発送した指定な映像及び音声によってアカウントホールダーの身元を識別するための指定な映像及び音声等の情報が予約証明書になる。
【００９９】
また、このシステムにおいて、前記予約証明書および確認モジュールは次のような対応方法を有することができる。
【０１００】
つまり、前記予約証明書は数字及び英語の字母から成っているパスポートであり、前記確認モジュールは前記数字又は字母から形成したパスポートを鑑別する装置である。
【０１０１】
又は、前記予約証明書はアカウントホールダーによって記録された特定の声或いは音楽であり、前記確認モジュールは電話録音装置或いは可聴周波頻度認識装置である。
【０１０２】
又は、前記予約証明書はアカウントホールダーの携帯電話番号或いは携帯電話の国際的な移動式装置の身分識別番号であり、前記確認モジュールはアカウントホールダーの電子特性のための認識装置である。
【０１０３】
又は、前記予約証明書はアカウントホールダーの指紋であり、前記確認モジュールは指紋の認識装置である。
【０１０４】
又は、前記予約証明書はアカウントホールダーのサイン或いはシールであり、前記確認モジュールは手書きの認識装置である。
【０１０５】
又は、前記予約証明書はアカウントホールダーが指定した画像であり、前記確認モジュールは前記画像の認識装置である。
【０１０６】
前記方案の中で、前記確認モジュールはアカウントホールダーの携帯電話からの特定な文字メッセージまた画映像メッセージまたは音声メッセージを受け取って、前記確認モジュールの中に保存された予約証明書と比較及び識別される。
【０１０７】
以下、図３を参照して、本発明の携帯電話のメッセージの確認モードを通して銀行振替を完成する別の方法を説明する。
【０１０８】
まず、企業は銀行でクレジットカードの口座を開けて、該口座に企業の法人代表人の携帯電話番号を結ぶが、これがステップ２０１である。
【０１０９】
それから、企業の法人代表人は銀行と予約証明書を設定して、確認モジュールに保存するが、これがステップ２０２である。
【０１１０】
例えば、ある人が企業の小切手又は為替を持って銀行から資金を転出する場合、銀行の職員は、前記小切手又は為替のシールと銀行での該企業の予約シールが同じであるのかを確認してから、また該企業の銀行口座を人工振替操作ターミナルに入力する。銀行の人工の振替操作ターミナルは専用ネットワーク又は内部インターフェイスを通して受発信モジュールに資金の振替の要求情報を送るが、これがステップ２０３である。メッセージの受発信モジュールは人工の振替操作ターミナルからの資金振替の要求情報を受け取って分析し、更にエンコードして前記銀行口座に結ばれた企業の法人代表人の携帯電話にメッセージを送るが、これがステップ２０４である。ここで、メッセージの内容は銀行口座から転出する資金の額、資金の受け取る口座又は受け取る場所に関する情報を含む。また、前記受発信モジュールは、企業の法人代表人からの確認電話を受け取っているかを自動的に検査するが、これがステップ２０５になる。この時、確認電話を受け取れば、該企業の法人代表人の身元に対して確認するが、これがステップ２０６になる。逆に、前記振替操作ターミナルに反映して、振替の操作を終わるが、これがステップ２０７になる。この時、企業の法人代表人の身元が確認されば、確認モジュールは企業の法人代表人の指示に従って、資金の転出又は転出の拒絶の命令等を含む資金振替の処理命令を銀行振替ビジネス処理モジュールに送るが、これがステップ２０８になる。逆には、その状況を銀行の振替操作ターミナルに反映して、振替操作を終わるが、これがステップ２０９になる。また、銀行振替ビジネス処理モジュールは、専用ネットワークを通して人工確認モジュールからの資金振替の処理の命令を受け取って処理し、更に銀行サーバーを通してその結果を転送ターミナルに反映するが、これがステップ２１０になる。振替操作が終わると、トランザクションの手形をプリントする。
【０１１１】
ここで、前記ステップ２１０の銀行振替が成功した後、企業の法人代表人を知らせるステップを加えることができるが、これがステップ２１１である。人工の振替操作ターミナルは、銀行のサーバーからの振替操作の結果に関するメッセージを受発信モジュールに転送して、且つエンコードして前記銀行口座と結ばれた企業の法人代表人の携帯電話に発信する。
【図面の簡単な説明】
【０１１２】
【図１】本発明における携帯電話のメッセージの確認モードを通して銀行振替を完成するシステムの模式図である。
【図２】本発明における携帯電話のメッセージの確認モードを通して銀行振替を完成する方法のフローチャートである。
【図３】本発明における携帯電話のメッセージの確認モードを通して銀行振替を完成する別の方法のフローチャートである。
【図１】
2008511062.tif 000003
【図２】
2008511062.tif 000004
【図３】
2008511062.tif 000005
【国際調査報告】
2008511062.tif 000006
2008511062.tif 000007
2008511062.tif 000008
2008511062.tif 000009